(57)【要約】【課題】高圧空気発生部を内蔵する筺体から延ばした筒体の吹出口から空気を吹出す送風装置において、送風部の長さが長くなっても上方の風量が落ちず上下の吹出口で均一な風量を出せる送風装置を提供する。【解決手段】吸い込んだ空気を高圧空気とする高圧空気発生部を備えた筺体１２と筺体１２に対向させて配置したチャンバ２７と、筒体の側部に高圧空気を吹き出す吹出口１９を備えたノズル１２と筒体に吹出口を備えないダクト２０とを有し、ノズル１２とダクト２０は間隔を開けて交互に配置され、ノズル１２とダクト２０は上下両端において筺体１２とチャンバ２７が対向する一面でそれぞれの内部に連通し、ノズル１２の一端は筺体１２から高圧空気が供給され、ノズル１２他端は筺体１２からダクト２０とチャンバ２７を介して高圧空気が供給され、ノズル１２とダクト２０の間隙によって誘引風路２２が形成され、送風を行なう。【選択図】図５
2018003596.tif 000002
【特許請求の範囲】
【請求項１】
空気を取り入れる吸込口を備えた筐体と、前記筐体の内部において前記吸込口から吸い込んだ空気を高圧空気とする高圧空気発生部と、前記筐体に対向させて配置したチャンバと、筒体の側部に高圧空気を吹き出す吹出口を備えたノズルと、筒体に吹出し口を備えないダクトとを有し、前記ノズルとダクトは、間隔を開けて交互に配置され、前記ノズルとダクトの上下両端において前記筐体とチャンバが対向する一面でそれぞれの内部に連通し、前記ノズルは、複数をそれぞれの前記吹出口が同一面となるように備えられ、前記ノズルの一端は前記筐体から前記高圧空気が供給され、前記ノズルの他端は前記筐体から前記ダクトとチャンバを介して前記高圧空気が供給され、前記間隙によって、前記吹出口から吹出す空気に誘引される空気の誘引風路が形成されていることを特徴とする送風装置。
【請求項２】
ノズル内部にノズルの筺体側では筺体のチャンバと対向する一面に平行に、ノズルのチャンバ側ではチャンバの筺体と対向する一面に平行に吹出す風が整流されるように備えられたリブによって、高圧空気発生部から吹出口を通って吹出す空気の風向きを整流したことを特徴とする請求項１に記載の送風装置。
【請求項３】
ダクトの断面積がノズルの断面積に比べて大きくしたことを特徴とする請求項１または２に記載の送風装置。
【請求項４】
請求項１乃至３いずれか一つに記載の送風装置の吸込口に、空気浄化フィルタを備えたことを特徴とする送風機能付空気清浄装置。
【発明の詳細な説明】
【技術分野】
【０００１】
本発明は、居室内に設置され、直接気流による体感温度の減少や室内の空気の循環に使用される扇風機などの送風装置、および送風装置内に取り込む空気を浄化し、浄化された空気を気流として吹出すことで室内の空気を浄化、および直接気流による体感温度の減少や室内の空気の循環に使用される送風機能付空気清浄装置に関するものである。
【背景技術】
【０００２】
従来、この種の送風装置は、送風機構を台座となる基部１０２に内包して、基部上部に備えられた送風部の複数のスリットから床面と水平方向に吹出すようにして空気の流れを生じさせる家庭用送風機が知られている(たとえば、特許文献１参照)。
【０００３】
以下、その送風機について図６および図７を参照しながら説明する。図６は、送風機組立体１００を前方から見た斜視図、図７は、送風機組立体１００の外装カバーを外した側面図を示している。
【０００４】
図６および図７において、送風機組立体１００は、上部に送風部１０１と下部に基部１０２とを備えていた。送風部１０１は吹出口１０３と吸込口１０４とを備え、基部１０２は送風機構１０５を収納していた。
【０００５】
吹出口１０３は、送風機組立体１００の前面に上下方向に一列に並べられていた。送風機組立体１００送風部１０１内部に設けた送風通路１０６は、５枚の仕切り板１０７により６本の通風路１０８に区分され、出口部１０９において吹出口１０３それぞれに空気を送り出すようになっていた。
【０００６】
すなわち、内部に独立した風路構成をとることで、高圧空気を上下に分散し、下方の送風機構１０５に近い側に流速が偏らず、風を供給するものであった。
【先行技術文献】
【特許文献】
【０００７】
【特許文献１】特開２０１３−２１３４５４号公報
【発明の概要】
【発明が解決しようとする課題】
【０００８】
このような従来の送風装置では、送風部の長さが長くなると、上方へ向かう空気は吹出口に到達するまでの圧損が大きくなり、高圧空気発生部側の吹出口に比べて上方の位置にある吹出口の流量が減ってしまい、吹出し口における風量の均一性の欠如から快適性も損なわれるという課題を有していた。
【０００９】
そこで、送風装置の送風部の長さが長くなっても上方の風量が落ちず上下で均一な風量を出せる送風装置を提供することを目的とする。
【課題を解決するための手段】
【００１０】
そして、この目的を達成するために、本発明は、空気を取り入れる吸込口を備えた筐体と、前記筐体の内部において前記吸込口から吸い込んだ空気を高圧空気とする高圧空気発生部と、前記筐体に対向させて配置したチャンバと、筒体の側部に高圧空気を吹き出す吹出口を備えたノズルと、筒体に吹出し口を備えないダクトとを有し、前記ノズルとダクトは、間隔を開けて交互に配置され、前記ノズルとダクトの上下両端において前記筐体とチャンバが対向する一面でそれぞれの内部に連通し、前記ノズルは、複数をそれぞれの前記吹出口が同一面となるように備えられ、前記ノズルの一端は前記筐体から前記高圧空気が供給され、前記ノズルの他端は前記筐体から前記ダクトとチャンバを介して前記高圧空気が供給され、前記間隙によって、前記吹出口から吹出す空気に誘引される空気の誘引風路が形成されているという構成にしたものであり、これにより所期の目的を達成するものである。
【発明の効果】
【００１１】
本発明によれば、空気を取り入れる吸込口を備えた筐体と、前記筐体の内部において前記吸込口から吸い込んだ空気を高圧空気とする高圧空気発生部と、前記筐体に対向させて配置したチャンバと、筒体の側部に高圧空気を吹き出す吹出口を備えたノズルと、筒体に吹出し口を備えないダクトとを有し、前記ノズルとダクトは、間隔を開けて交互に配置され、前記ノズルとダクトの上下両端において前記筐体とチャンバが対向する一面でそれぞれの内部に連通し、前記ノズルは、複数をそれぞれの前記吹出口が同一面となるように備えられ、前記ノズルの一端は前記筐体から前記高圧空気が供給され、前記ノズルの他端は前記筐体から前記ダクトとチャンバを介して前記高圧空気が供給され、前記間隙によって、前記吹出口から吹出す空気に誘引される空気の誘引風路が形成されているという構成にしたことにより、チャンバ側の吹出口から出る風の量を保つことができ、送風部としてのノズルの長さが長くなっても上方の吹出し口から吹出す風の量が落ちないで上下の吹出口で均一な風量を出せる送風装置を提供することができる。
【図面の簡単な説明】
【００１２】
【図１】本発明の実施の形態１の送風機能付空気清浄装置の斜視図
【図２】同実施の形態１の送風装置の断面を示す構成図
【図３】同実施の形態１の送風装置の断面を示す構成図
【図４】同実施の形態１の送風装置の断面を示す構成図
【図５】本発明の実施の形態２の送風装置の斜視図
【図６】従来技術の一例を示す斜視図
【図７】従来技術の一例を示す断面図
【発明を実施するための形態】
【００１３】
本発明の請求項１に係わる送風装置は、空気を取り入れる吸込口を備えた筐体と、前記筐体の内部において前記吸込口から吸い込んだ空気を高圧空気とする高圧空気発生部と、前記筐体に対向させて配置したチャンバと、筒体の側部に高圧空気を吹き出す吹出口を備えたノズルと、筒体に吹出し口を備えないダクトとを有し、前記ノズルとダクトは、間隔を開けて交互に配置され、前記ノズルとダクトの上下両端において前記筐体とチャンバが対向する一面でそれぞれの内部に連通し、前記ノズルは、複数をそれぞれの前記吹出口が同一面となるように備えられ、前記ノズルの一端は前記筐体から前記高圧空気が供給され、前記ノズルの他端は前記筐体から前記ダクトとチャンバを介して前記高圧空気が供給され、前記間隙によって、前記吹出口から吹出す空気に誘引される空気の誘引風路が形成されているという構成を有する。
【００１４】
これにより、チャンバ側の吹出口から出る風の量を確保することで、ノズルの長さが長くなっても上方の吹出口から吹出す風の量が落ちないで、上下の吹出口で均一な風量を出せる送風装置を提供できる。
【００１５】
また、請求項２に係わる送風装置は、筐体とチャンバは対抗する面が平行になるように配置され、
ノズル内部にノズルの筺体側では筺体のチャンバと対向する一面に平行に、ノズルのチャンバ側ではチャンバの筺体と対向する一面に平行に吹出す風が整流されるように備えられたリブによって、高圧空気発生手段から吹出口を通って吹出す空気の風向きを整流した構成を有する。
【００１６】
これにより、吹き出す風が平行になり、吹き出した風が、混ざり合ったり干渉しあったりせず、均一な風を提供でき、使用者にとって快適になる。筐体が床面にチャンバを天井側になるように配置した場合に、吹き出る風が床面に対して水平になり、均一な風を提供でき、使用者にとって快適になる。
【００１７】
また、請求項３に係わる送風装置は、ダクトの断面積がノズルの断面積に比べて大きくしたという構成を有する。
【００１８】
これにより、ダクトを通ってチャンバに達する空気を多くすることで、ノズルのチャンバ側の吹出口からの風量を多くすることができ、上方の風量が落ちないで、上下の吹出口で均一な風量を出せる送風装置を提供できる。
【００１９】
また、請求項４に係わる送風機能付空気清浄装置は、送風装置の吸込口に、空気浄化フィルタを備えたことを特徴とする送風機能付空気清浄装置とするもので、吸込口から取り込まれた空気は空気浄化フィルタにより浄化され吹出口から吹出され、使用者に供給することができる。
【００２０】
以下、本発明の実施の形態について図面を参照しながら説明する。
【００２１】
（実施の形態１）
図１に斜視図、図２に断面Ａ、図３に断面Ｂ、図４に断面Ｃでの断面を示す構成図を示す。
【００２２】
送風装置として、本実施の形態の送風機能付空気清浄装置１１は、図１に示すように筐体１２の上部にノズル１３を備え、筺体と対向して配置される一つの空間を形成するチャンバ２７を備えたものである。
【００２３】
送風機能付空気清浄装置１１は、図２に示すように、筐体１２に空気を取り入れる吸込口１４と、吸込口１４に装着し取り入れた空気を浄化する空気浄化フィルタ１５と、図４に示すように、高圧空気を発生するための羽根車１６と羽根車１６を駆動するためのモータ１７で構成された高圧空気発生部１８と、筐体１２の一面から起立させた複数の等しい長さのノズル１３（本実施形態では５個）とダクト２０（本実施形態では４個）を備えている。本実施の形態では、筐体１２の上面から起立させている。
【００２４】
ノズル１３の側部には、図２に示すように、ノズル１３を起立させた方向に対して垂直方向である一方向に高圧空気発生部１８で発生した高圧空気を吹出す吹出口１９を備えている。複数のノズル１３の間には高圧空気発生部１８で発生した高圧空気をチャンバ２７に導くためのダクト２０を備えている。ノズル１３とダクト２０は交互に配置されている。図３に示すように高圧空気発生部１８からダクト２０を通った空気はチャンバ２７へと向かい、チャンバ２７からノズル１３へと向かうようになっている。
【００２５】
また、図４に示すように、高圧空気発生部１８と複数のノズル１３および複数のダクト２０の間には高圧空気発生部１８で発生した高圧空気を各ノズル１３および各ダクト２０へ分流する空間２１が備えられている。
【００２６】
ノズル１３およびダクト２０は、ノズル１３を起立させた方向に対して垂直方向の断面が吹出方向に縦長である。複数のノズル１３とダクト２０は、互いに間隙を設けて並んでいる。
ノズル１３とダクト２０の間隙は、吹出口１９から吹出す気流に誘引される空気の誘引風路２２を形成する。誘引風路２２の数は、本実施の形態の一例ではノズル１３を５本、ダクト２０を４本設けているので、ノズル１３とダクト２０に挟まれた間隙の数だけ、すなわちノズル１３とダクト２０の合計９本より少ない８本形成できる。
【００２７】
なお、前記間隙の長さとしては、ノズル１３の幅以上、ノズル１３の筐体１２上面からの起立方向の長さの半分以下とすることが風速の均一性を得られるため好ましく、本実施の形態では、一例としてノズル１３の幅が７５ｍｍ、ノズル１３の起立方向長さが４０００ｍｍ、間隙の長さが１２０ｍｍ、ノズル１３の吹出方向長さが４６０ｍｍの場合を示している。
【００２８】
また本実施の形態では、ノズル１３を起立させた方向に対して垂直方向のノズル１３の断面形状は、長方形形状だとしたが、吹出し方向に縦長であればよく、楕円など別の形状でもよい。
【００２９】
また、空気浄化フィルタ１５には、既知の集塵フィルタや活性炭などの脱臭フィルタを用いることができる。この空気浄化フィルタ１５を通過した空気は、ほこりや花粉、アレルギー物質などが取り除かれた浄化空気となり羽根車１６に供給される。
【００３０】
このような構成によれば、送風機能付空気清浄装置１１が稼動すると、モータ１７が駆動し、羽根車１６が回転することにより、内部流れ２３に示すように、室内空気は、吸込口１４から送風機能付空気清浄装置１１内部に取り込まれ、空気浄化フィルタ１５で埃やにおいなどの汚れを浄化された後、羽根車１６を通過し空間２１に至る。空間２１で高圧空気は複数のノズル１３とダクト２０に分流され、各ノズル１３およびダクトからチャンバ２７を通過し、吹出口１９から吹出し、吹出空気流２５となる。また、図１のように吹出空気流２５は、誘引風路２２と最外部のノズル１３の外側の空気を誘引し、誘引空気流２６となる。これら吹出空気流２５と誘引空気流２６によって広範囲に略均一な風速の空気が送風される。
【００３１】
これにより、上部の吹出口から出る風を増やし、上下の吹出口で均一化された風速によって誘引される空気も上下で均一化され装置の高さが高くなっても上方の風量が落ちないで上下で均一な風量を出せる。
【００３２】
また、図２に示すように、ノズル１３内の吹出口１９近傍にはノズル１３の起立方向の風向を調整する風向調整リブ２４を備えることで、ノズル１３起立方向の風向が調整される。このような構成にすることで、吹き出す風が平行になり、吹き出した風が、混ざり合ったり干渉しあったりせず、均一な風を提供でき、使用者にとって快適になる。筐体１２が床面にチャンバ２７を天井側になるように配置した場合には、吹き出る風が床面に対して水平になり、均一な風を提供でき、使用者にとって快適である。
【００３３】
なお、吹出口１９を面一となるようにノズル１３は間隙を設けて配置することで、吹出す気流は面気流となり、風速の均一性とは後述する吹出空気流２５と誘引空気流２６が合流した面気流の風速の分布に着目したもので、吹出口１９から所定の距離を離れて正面視する平面において観測される風速の分布が、所定の範囲であることを示す。つまり前記平面での最小の風速が少なくとも最大風速の半分までは許容でできることとしている。また、高圧空気とは大気圧以上の空気を示すものとする。
【００３４】
なお、本実施の形態では、空気浄化フィルタ１５を備えた送風機能付空気清浄装置１１の形態を説明した。空気浄化フィルタ１５は、送風装置としては必須ではない。
【００３５】
また、床付近に吸込口がある形状としたので、空気浄化フィルタ１５および羽根車１６、モータ１７の交換、洗浄といったお手入れ性にも優れる。
（実施の形態２）
図５に送風装置４１の斜視図を示す。なお、実施の形態１と同様の構成要素については同一の符号を付し、その詳細な説明は省略する。送風機能付空気清浄装置１１は図１の複数のダクト２０の断面積をノズル１３の断面積に比べて大きくした構成となっている。
【００３６】
このような構成によれば、ダクト２０を通ってチャンバ２７に達する空気を多くし、チャンバ２７を介してノズル１３のチャンバ２７側の吹出口１９から出る風量が増えることで、上側から下側へ向かう気流ができる。その結果、使用者のいる床付近に多くの風を提供できる。
【００３７】
なお、本実施の形態の送風装置１１は、吸込口１４に取り入れた空気を浄化する空気浄化フィルタ１５を装着することで送風機能付空気清浄装置とすることもできる。
【産業上の利用可能性】
【００３８】
本発明にかかる送風装置および送風機能付空気清浄装置は、チャンバ側の吹出口から出る風の量を保つことでノズルの長さが長くなっても風量が均一な風を出せるものであるので、直接気流による体感温度の減少や室内の空気循環に使用される各種送風機器として有用である。また、居室内に配置され、居室内の雰囲気を変える、または居室内を区切るパーティションとしても有用である。
【符号の説明】
【００３９】
１１    送風機能付空気清浄装置
１２    筐体
１３    ノズル
１４    吸込口
１５    空気浄化フィルタ
１６    羽根車
１７    モータ
１８    高圧空気発生部
１９    吹出口
２０    ダクト
２１    空間
２２    誘引風路
２３    内部流れ
２４    風向調整リブ
２５    吹出空気流
２６    誘引空気流
２７    チャンバ
１００    送風機組立体
１０１    送風部
１０２    基部
１０３    吹出口
１０４    吸込口
１０５    送風機構
１０６    送風通路
１０７    仕切り板
１０８    通風路
１０９    出口部
【図１】
2018003596.tif 000003
【図２】
2018003596.tif 000004
【図３】
2018003596.tif 000005
【図４】
2018003596.tif 000006
【図５】
2018003596.tif 000007
【図６】
2018003596.tif 000008
【図７】
2018003596.tif 000009